(57)【要約】【課題】  部品組み付け作業時の作業効率を高め、かつ伝熱性能を高めることができる電子機器筐体用基板ユニットの放熱構造を提供する。【解決手段】間接空冷方式の電子機器筐体用基板ユニットの放熱構造で、放熱カバーと、放熱カバーにおける電子回路基板上の電気部品と対応する位置に配置されたねじ型ヒートパス構造体と、を具備する。ねじ型ヒートパス構造体は、放熱カバーのねじ穴部と、ねじ穴部に螺合する螺合部材と、電気部品に押し当てる仮組み用の押し当て部材と、押し当て部材に替えて電気部品に押し当てる状態で組み付ける放熱シートとを備える。ねじ穴部に螺合部材を螺挿し、押し当て部材を電気部品に突き当てる位置までねじ込んだ仮組み状態で押し当て部材に替えて放熱シートを螺合部材の先端部に連結することで放熱シートを設置する。【選択図】図４
2018046176.tif 000002
【特許請求の範囲】
【請求項１】
複数枚の電子回路基板のボードを並設状態で収納するボード収容室を有するシャシーと、
前記ボード収容室の周囲に配設され、放熱用の通風ダクト構造となっている筐体壁と、を有する間接空冷方式の電子機器筐体用基板ユニットの放熱構造であって、
前記電子回路基板と対向配置され、かつ両端部が前記ボード収容室の前記筐体壁に接続される放熱カバーと、
前記放熱カバーにおける前記電子回路基板上に接続された電気部品と対応する位置に配置されたねじ型ヒートパス構造体と、を具備し、
前記ねじ型ヒートパス構造体は、前記放熱カバーのカバー本体側における前記電気部品との対向部位に形成されたねじ穴部と、前記ねじ穴部に螺合する螺合部材と、前記螺合部材の先端部に連結され、前記電気部品に押し当てる仮組み用の押し当て部材と、前記押し当て部材に替えて前記電気部品に押し当てる状態で組み付ける放熱シートとを備え、
前記ねじ穴部に前記螺合部材を螺挿し、前記押し当て部材を前記電気部品に突き当てる位置までねじ込んだ仮組み状態で前記押し当て部材に替えて前記放熱シートを前記螺合部材の先端部に連結することで前記放熱シートを設置する電子機器筐体用基板ユニットの放熱構造。
【請求項２】
前記押し当て部材は、前記放熱シートをほぼ８０％圧潰した厚さに設定されている請求項１に記載の電子機器筐体用基板ユニットの放熱構造。
【請求項３】
前記ねじ型ヒートパス構造体は、前記押し当て部材を前記電気部品に突き当てる位置までねじ込んだ仮組み状態の前記螺合部材のねじ込み状態で、前記ねじ穴部から前記カバー本体の外側に突出する前記螺合部材の外側突出部の突出端部位置と、前記ねじ穴部の周縁部位の周方向位置と、前記螺合部材の外周面の周方向位置とを重ね合わせた表示指標を有し、
前記放熱シートを前記螺合部材の先端部に連結した状態で、前記螺合部材を前記ねじ込み位置までねじ込む前記放熱シートの設置作業時に前記螺合部材の外側突出部の突出端部位置の前記表示指標と、前記ねじ穴部の周縁部位の周方向位置の前記表示指標と、前記螺合部材の外周面の周方向位置の前記表示指標とを重ね合わせた状態で固定し、前記表示指標のずれによりねじの緩みを確認する緩み確認手段を有する請求項１または２のいずれかに記載の電子機器筐体用基板ユニットの放熱構造。
【請求項４】
前記ねじ型ヒートパス構造体は、前記放熱シートの設置作業時に前記螺合部材のねじ込み位置を緩まないように固定する固定部を有し、
前記固定部は、前記ねじ穴部から前記カバー本体の外側に突出する前記螺合部材の外側突出部にナットを螺合させるダブルナット構造の締結部、または、前記ねじ穴部から前記カバー本体の外側に突出する前記螺合部材の外側突出部をシリコン系の接着剤で固定する接着固定部の少なくともいずれか一方を有する請求項１乃至３のいずれか１項に記載の電子機器筐体用基板ユニットの放熱構造。
【請求項５】
前記電子回路基板は、前記電気部品が複数接続され、
前記放熱カバーは、前記カバー本体側に前記電気部品にそれぞれ対応する複数のねじ穴部を有し、
前記ねじ型ヒートパス構造体は、前記ねじ穴部と同数設けられ、
全ての前記ねじ穴部にそれぞれ前記螺合部材を螺挿し、前記押し当て部材を前記電気部品に突き当てる位置までねじ込んだ仮組み状態で前記押し当て部材に替えて前記放熱シートを前記螺合部材の先端部に連結することで全ての前記電気部品でそれぞれ同じ厚さの前記放熱シートを設置する請求項１乃至４のいずれか１項に記載の電子機器筐体用基板ユニットの放熱構造。
【請求項６】
請求項１乃至５のいずれか１項に記載の電子機器筐体用基板ユニットの放熱構造における放熱シートの組み付け方法であって、
前記放熱カバーの前記ねじ穴部に螺合する螺合部材の先端部に前記押し当て部材を連結させることと、
前記ねじ穴部に前記螺合部材を螺挿し、前記押し当て部材を前記電気部品に突き当てる位置までねじ込んだ仮組み状態の前記螺合部材のねじ込み位置を測定することと、
前記電子回路基板から前記放熱シートを取り外した状態で、前記押し当て部材に替えて前記放熱シートを前記螺合部材の先端部に連結することと、
前記放熱シートの交換作業後、前記電子回路基板に前記放熱シートを取り付けることで前記放熱シートを設置することと、
を具備する電子機器筐体用基板ユニットの放熱構造における放熱シートの組み付け方法。
【発明の詳細な説明】
【技術分野】
【０００１】
本発明の実施形態は、電子機器筐体用基板ユニットの放熱構造とその放熱構造における放熱シートの組み付け方法に関する。
【背景技術】
【０００２】
宇宙・航空用に製造される電子機器内にある基板ユニットは、その厳しい耐環境性要求からも完全間接空冷方式のものが主流である。完全間接空冷方式では、各基板ユニットの両端で機材筐体のフレームとカードロックにより機械的に固定する。この固定部は熱パスも兼ねており、筐体外部を流れる冷却空気で筐体内部の発熱部品を冷却する放熱構造となっている。
【０００３】
そのため、各基板ユニットは基板上の各発熱部品から、基板両端の放熱部までヒートパスを構築し、熱移動させる構造が必要となる。従来は大型で高発熱の電気部品に関しては、電気部品の直上に放熱カバー（ヒートパス）を設け、放熱カバーとフレームを機械締結（または一体化）することで熱を電気部品から放熱カバーを経てフレームへと熱伝達で移動させている。
【０００４】
しかしながら、放熱カバーと電気部品との間の寸法は、電気部品の製造許容差（Ａ）と、電気部品を基板にはんだ付けする際の製造許容差（Ｂ）と、放熱カバーの機械加工許容差（Ｃ）とが加算されるので、すべての許容差を考慮すると、隙間の公差が数ｍｍ程度の大きさになる。通常この隙間は、放熱シートを挟むことで電気部品から放熱カバーまでの熱的な接続を確保している。
【先行技術文献】
【特許文献】
【０００５】
【特許文献１】特開平９−１３９４５１号公報
【発明の概要】
【発明が解決しようとする課題】
【０００６】
放熱シートは、１ｍｍ前後の厚さのシートが使用される。この放熱シートは、放熱カバーと電気部品との間にシート厚さを圧縮させた状態（例えば一般的にはシート厚さの２０％程度圧縮させた状態、あるいは各製品の特徴に合わせて圧縮量を想定する）で組み付けることで、伝熱性能が確保される。これに対し、電気部品の製造許容差（Ａ）と、電気部品を基板にはんだ付けする際の製造許容差（Ｂ）と、放熱カバーの機械加工許容差（Ｃ）とは、個々の製品ごとに異なる。そのため、放熱カバーと電気部品との間の隙間の寸法は、個々の製品ごとに大きな幅のばらつきを持っている。例えば、放熱カバーと電気部品との間の最小隙間は０．１ｍｍ程度になることがあり、最大隙間は２〜３ｍｍ程度になることがある。これに対処するために厚さが異なる複数の種類の放熱シートを予め用意し、隙間の大きさに合わせて適正な厚さの放熱シートを選択して使用することが必要になる。しかしながら、現物合わせでシートを選定する作業は手間がかかり、作業効率が悪い。また、隙間の大きさに合わせて分厚いシートを入れた場合は、熱伝導性能が悪くなり、十分に部品を冷却することが困難になる。そのため、効率的な放熱設計を行うことが困難であった。
【０００７】
実施形態は、部品組み付け作業時の作業効率を高めることができ、かつ伝熱性能を高めることができる電子機器筐体用基板ユニットの放熱構造とその放熱構造における放熱シートの組み付け方法を提供することが課題である。
【課題を解決するための手段】
【０００８】
実施形態は、間接空冷方式の電子機器筐体用基板ユニットの放熱構造である。放熱構造は、電子回路基板と対向配置され、かつ両端部がボード収容室の筐体壁に接続される放熱カバーと、放熱カバーにおける電子回路基板上に接続された電気部品と対応する位置に配置されたねじ型ヒートパス構造体と、を具備する。ねじ型ヒートパス構造体は、放熱カバーのカバー本体側における電気部品との対向部位に形成されたねじ穴部と、ねじ穴部に螺合する螺合部材と、仮組み用の押し当て部材と、押し当て部材に替えて電気部品に押し当てる状態で組み付ける放熱シートとを備える。ねじ穴部に螺合部材を螺挿し、押し当て部材を電気部品に突き当てる位置までねじ込んだ仮組み状態で押し当て部材に替えて放熱シートを螺合部材の先端部に連結することで放熱シートを設置する。
【図面の簡単な説明】
【０００９】
【図１】図１は、第１の実施形態の電子機器筐体全体の概略構成を示す斜視図である。
【図２】図２は、図１のＩＩ−ＩＩ線断面図である。
【図３】図３は、図２のＩＩＩ−ＩＩＩ線断面図である。
【図４】図４は、図１のＩＶ−ＩＶ線断面図である。
【図５】図５は、ねじ型ヒートパス構造体の要部の縦断面図である。
【図６】図６は、第１の実施形態のねじ型ヒートパス構造体の螺合部材のねじ込み位置のマーキング部分を示す平面図である。
【図７】図７は、第１の実施形態のねじ型ヒートパス構造体の変形例を示す要部の縦断面図である。
【発明を実施するための形態】
【００１０】
［第１の実施形態］  
図１乃至図６は、第１の実施形態を示す。図１は、本実施形態の間接空冷方式の電子機器筐体１の上面パネル１０（図３に示す）を外した状態を示す斜視図、図２は図１のＩＩ−ＩＩ線断面図、図３は図２のＩＩＩ−ＩＩＩ線断面図である。本実施形態の電子機器筐体１は、例えばＶＭＥ等の規格ボードなどの複数枚の電子回路モジュールのボード（電子回路基板）２を収納するボード収容室３を有する箱型のシャシー４を備えている。本実施形態では、複数枚のボード２は例えば鉛直方向に縦置きされ、水平方向に横並びに並設された状態でボード収容室３内に収容されている。
【００１１】
シャシー４は、矩形板状のベースフレーム５と、２つの端板６，７と、２つの側面板８，９と、上面パネル１０とで構成されている。ベースフレーム５は、図３に示すようにシャシー４の下部に配置され、床板を形成する。このベースフレーム５は、ボード収容室３の下面開口部３ｂを覆うためのカバーで、シャシー４に対し、周辺部でねじ等により固定されている。２つの端板６，７は、図２に示すようにシャシー４の両端に配置される。２つの側面板８，９は、シャシー４の両側面に配置される。上面パネル１０は、ボード収容室３の上面開口部３ａを覆うためのカバーで、シャシー４に対し、周辺部でねじ等により固定されている。
【００１２】
図３に示すようにボード収容室３の底面には、マザーボード１１が水平方向に沿って横置き状態で配設されている。マザーボード１１には、ボード２を着脱可能に接続する複数のコネクタ受け部１２が設けられている。マザーボード１１は、マザーボード支持脚１３を介してボード収容室３の両側の後述する第１の通風路２４と第２の通風路２５にねじ固定されている。そして、電子回路モジュールのボード２は、図１および図３中で上面開口部３ａ側からボード収容室３内に挿脱可能に出し入れされるようになっている。
【００１３】
図２に示すように筐体本体１ａの内部には、前記ボード収容室３の両側にそれぞれ冷却空気の通風路（第１の通風路２４と第２の通風路２５）が形成されている。ここで、図２中で下側の第１の通風路２４は、図３中でボード収容室３の右側に配置された側壁部材２６とシャシー４の図３中で右側の側面板８との間に形成されている。図２中で上側の第２の通風路２５は、図３中でボード収容室３の左側に配置された側壁部材２９とシャシー４の図３中で左側の側面板９との間に形成されている。これらの第１の通風路２４と第２の通風路２５の一端（図２中で左端）側は、一方の端板６に形成された冷却空気の吸い込み用の開口部である吸い込み口２７にそれぞれ連通されている。第１の通風路２４と第２の通風路２５の他端（図２中で右端）側は、ボード収容室３の図２中で右側に配置された閉塞板２８に形成された冷却空気の排出用の開口部３１にそれぞれ連通されている。
【００１４】
閉塞板２８と他方（図２中で右端側）の端板７との間には、冷却空気の排出用の空気室３１ａが形成されている。この端板７には、ブロワ（送風機）３２が装着されている。このブロワ３２の駆動時には、空気室３１ａ内の空気が外部に排出される。
【００１５】
また、第１の通風路２４および第２の通風路２５には、ボード２の挿入方向と直交する方向に延設された多数の板状のストレートフィン３３が横並び状態で並設されている。各ストレートフィン３３は、それぞれボード２の挿入方向と直交する方向に横置き状態で配置され、ボード２の挿入方向に縦並び状態で緻密なピッチで並設されている。これにより、第１の通風路２４および第２の通風路２５は、放熱用の通風ダクト構造となっている。
【００１６】
ボード収容室３の両側の側壁部材２６、２９には、ボード２を１枚ずつ個別に出し入れする複数（ボード２と同数）のボード出し入れ用のガイド溝２６ａ、２９ａがそれぞれ形成されている。そして、ボード収容室３の上面開口部３ａから挿入されたボード２は、左右のガイド溝２６ａ、２９ａにガイドされる状態で、マザーボード１１側に導かれ、コネクタ部１６がコネクタ受け部１２に連結される。その後、ボード２の両側部は、カードロック１７によってボード収容室３の両側の側壁部材２６、２９に係脱可能に係合され、機械的に固定される。
【００１７】
また、本実施形態の電子機器筐体１の使用時には、ブロワ３２が駆動される。このブロワ３２の駆動により、図２中に矢印で示すように空気室３１ａ内の空気が外部に排出される。これにより、空気室３１ａ内が負圧になるので、外部の冷却空気が一方の端板６の吸い込み口２７から第１の通風路２４と第２の通風路２５に流入し、第１の通風路２４と第２の通風路２５内から空気室３１ａを経てブロワ３２から外部に排出される。
【００１８】
そして、第１の通風路２４および第２の通風路２５内を流れる冷却空気との熱交換によってボード収容室３の両側の側壁部材２６、２９が冷却される。さらに、側壁部材２６、２９に伝熱された熱は、第１の通風路２４および第２の通風路２５内を流れる冷却空気に多数のストレートフィン３３から放熱される。また、冷却用の外部空気は、ブロワ３２の駆動時に端板６の吸い込み口２７から第１の通風路２４と第２の通風路２５を経て空気室３１ａの内部に流入されたのち、ブロワ３２から外部に排出される。そのため、外部空気は、ボード収容室３の内部には直接は流入せず、ボード収容室３の内部の電子回路モジュールのボード２には外気が当たらない。
【００１９】
図１、図２及び図４を参照し、電子回路モジュールのボード２は、電気部品である複数の電子回路部品１４を実装したほぼ矩形板状のプリント基板１５を有する。電子回路部品１４は、裏面側がプリント基板１５の表面に複数のはんだボール（接続部）６１によりＢＧＡ実装されている。
【００２０】
また、ボード２の一端部（図３中で下端部）には、コネクタ部１６が配置され、ボード２の両側部には、カードロック（固定具）１７が配設されている。コネクタ部１６は、マザーボード１１のコネクタ受け部１２に連結される。また、ボード２の両側部は、カードロック１７によってボード収容室３の両側の側壁部材２６、２９に係脱可能に係合され、機械的に固定される。
【００２１】
さらに、ボード２には、プリント基板１５上に実装された複数の電子回路部品１４を覆う状態で平板状の放熱カバー６２が対向配置されている。この放熱カバー６２は、熱伝導性が高い金属板、例えばアルミ合金などの伝熱部材でプリント基板１５とほぼ同じ大きさに形成されている。図４に示すように放熱カバー６２の両端には、Ｌ字状の屈曲部６２ｂが形成されている。放熱カバー６２の両端の屈曲部６２ｂは、プリント基板１５に接合され、この接合部がカードロック１７に固定されている。
【００２２】
放熱カバー６２には、プリント基板１５上の各電子回路部品１４と対応する位置にねじ型ヒートパス構造体６３が配設されている。図５に示すようにこのねじ型ヒートパス構造体６３は、放熱カバー６２のカバー本体６２ａ側における各電子回路部品１４との対向部位に形成されたねじ穴部６４と、ねじ穴部６４に螺合する螺合部材６５と、仮組み用の押し当て部材６６と、押し当て部材６６に替えて各電子回路部品１４に押し当てる状態で組み付ける放熱シート６７とを備える。放熱シート６７は、弾性を有する材料であるシリコーン等を用いて電子回路部品１４の外形寸法とほぼ同じ大きさに形成されている。
【００２３】
ねじ穴部６４の穴径は、図３に示すように電子回路部品１４の外形寸法よりも大径であることが好ましい。例えば、正方形状の電子回路部品１４の外接円程度の大きさが好ましい。または、例えば複数の電子回路部品１４を集めたグループの外接円程度の大きさであってもよい。
【００２４】
螺合部材６５は、熱伝導性が高い金属、例えばアルミ合金や、銅などの伝熱部材で形成された雄ねじによって形成されている。この螺合部材６５の頭部には、例えばドライバなどの工具と係合可能な係合溝６５ａが形成されている。この螺合部材６５の先端部には、螺合部材６５の中心線方向と直交する方向の平滑な平面によって取付け面６５ｂが形成されている。
【００２５】
押し当て部材６６は、例えばステンレス製の円板などの硬質な金属部材によって形成されている。この押し当て部材６６の板厚ｔは、使用を想定している放熱シート６７をほぼ８０％の厚さに圧潰した厚さ（放熱シート６７の使用時に放熱シート６７が潰される厚さ）に設定されている。この押し当て部材６６は、螺合部材６５の先端部（図４および図５中で下端部）の取付け面６５ｂに例えば接着剤などで仮組み状態（簡単に取り外せる状態）で連結される。このように螺合部材６５の先端部に押し当て部材６６を連結させた状態でねじ穴部６４に螺合部材６５を螺挿し、押し当て部材６６を電子回路部品１４に突き当てる位置までねじ込んだ仮組み状態の螺合部材６５のねじ込み位置を測定する。これにより、図５に示すように放熱カバー６２と電子回路部品１４との間の距離ｄが測定できる。
【００２６】
また、ねじ型ヒートパス構造体６３は、放熱カバー６２のねじ穴部６４と同数設けられている。そして、全てのねじ穴部６４にそれぞれ螺合部材６５を螺挿し、押し当て部材６６を電子回路部品１４に突き当てる位置までねじ込んだ仮組み状態の螺合部材６５のねじ込み位置を全てのねじ穴部６４でそれぞれ同様に測定する。
【００２７】
この状態で、ねじ型ヒートパス構造体６３は、図５および図６に示すように押し当て部材６６を電子回路部品１４に突き当てる位置までねじ込んだ仮組み状態の螺合部材６５のねじ込み位置を表示するマーキング部分（表示指標）６８を設けている。このマーキング部分６８は、ねじ穴部６４からカバー本体６２ａの外側に突出する螺合部材６５の外側突出部の突出位置（螺合部材６５のねじ込み位置）と、ねじ穴部６４の周縁部位の周方向位置と、螺合部材６５の外周面の周方向位置とに例えば赤色または白色などの目視可能な着色のマークを付けることで形成される。このとき、螺合部材６５のねじ込み位置のマーク６８ａと、ねじ穴部６４のマーク６８ｂと、螺合部材６５の外周面の周方向位置のマーク６８ｃとを重ね合わせた状態で固定する。
【００２８】
また、本実施形態では、放熱カバー６２のねじ穴部６４からカバー本体６２ａの外側に突出する螺合部材６５の外側突出部をシリコン系の接着剤で固定する接着固定部６９が設けられている。この接着固定部６９により、放熱シート６７の設置作業時に螺合部材６５のねじ込み位置を緩まないように固定するようになっている。そして、マーキング部分６８のマーク６８ａと、マーク６８ｂと、マーク６８ｃとのずれを目視することで螺合部材６５の緩みの有無を確認することができる（緩み確認手段）。
【００２９】
その後、プリント基板１５から放熱カバー６２を取り外す。この状態で、押し当て部材６６に替えて放熱シート６７をねじ型ヒートパス構造体６３の螺合部材６５の先端部に連結させる。このとき、仮組み状態のすべての螺合部材６５で押し当て部材６６に替えて放熱シート６７を連結させる交換作業を行う。
【００３０】
この交換作業の終了後、再度、プリント基板１５に放熱カバー６２を取り付ける。これにより、全ての電子回路部品１４でそれぞれ適正な厚さの放熱シート６７を設置することができる。このとき、放熱シート６７は、例えばシート厚さの２０％程度圧縮させた状態（あるいは各製品の特徴に合わせて設定された好適な圧縮量に圧縮させた状態）で組み付けられている。なお、複数の電子回路部品１４を集めたグループに螺合部材６５を介して１つの放熱シート６７を当接させた場合は、放熱シート６７の弾性変形により、電子回路部品１４間の高さの違いを吸収することができる。
【００３１】
そして、ボード２上の電子回路部品１４から発生する熱は、図４中に矢印で示すようにねじ型ヒートパス構造体６３の放熱シート６７と、螺合部材６５と、放熱カバー６２とを経てカードロック１７からボード収容室３の両側の側壁部材２６、２９へと熱伝達で移動させる。これにより、これらのねじ型ヒートパス構造体６３の放熱シート６７と、螺合部材６５と、放熱カバー６２とによって電子回路部品１４から発生する熱をボード収容室３の両側の側壁部材２６、２９へと熱伝達で移動させるヒートパス構造体が形成される。
【００３２】
次に、上記構成の間接空冷方式の電子機器筐体用基板ユニットの放熱構造の作用について説明する。本実施形態では、電子回路モジュールのボード２に平板状の放熱カバー６２を対向配置させ、この放熱カバー６２におけるプリント基板１５上の各電子回路部品１４と対応する位置にねじ型ヒートパス構造体６３を配設させている。このねじ型ヒートパス構造体６３は、次の通り使用する。
【００３３】
まず、螺合部材６５の取付け面６５ｂに仮組み用の押し当て部材６６を仮組み状態で連結させる。このように螺合部材６５の先端部に押し当て部材６６を連結させた状態でねじ穴部６４に螺合部材６５を螺挿し、押し当て部材６６を電子回路部品１４に突き当てる位置までねじ込む。そして、押し当て部材６６を電子回路部品１４に突き当てた仮組み状態の螺合部材６５のねじ込み位置を測定する。全てのねじ穴部６４にそれぞれ螺合部材６５を螺挿し、押し当て部材６６を電子回路部品１４に突き当てる位置までねじ込んだ仮組み状態の螺合部材６５のねじ込み位置を全てのねじ穴部６４でそれぞれ同様に測定する。
【００３４】
その後、螺合部材６５のねじ込み位置に例えば赤色または白色などの目視可能な着色のマークを付ける。このマークは、例えばねじ穴部６４からカバー本体６２ａの外側に突出する螺合部材６５の外側突出部の突出位置のマーク６８ａと、ねじ穴部６４の周縁部位の周方向位置のマーク６８ｂと、螺合部材６５の外周面の周方向位置のマーク６８ｃとによって形成する。
【００３５】
続いて、放熱カバー６２のねじ穴部６４からカバー本体６２ａの外側に突出する螺合部材６５の外側突出部をシリコン系の接着剤で固定して接着固定部６９を形成する。
【００３６】
その後、プリント基板１５から放熱カバー６２を取り外す。この状態で、押し当て部材６６に替えて放熱シート６７をねじ型ヒートパス構造体６３の螺合部材６５の先端部に連結させる。このとき、仮組み状態のすべての螺合部材６５で押し当て部材６６に替えて放熱シート６７を連結させる交換作業を行う。
【００３７】
この交換作業の終了後、再度、プリント基板１５に放熱カバー６２を取り付ける。これにより、全ての電子回路部品１４でそれぞれ適正な厚さの放熱シート６７を設置することができる。このとき、放熱シート６７は、例えばシート厚さの２０％程度圧縮させた状態（あるいは各製品の特徴に合わせて設定された好適な圧縮量に圧縮させた状態）で組み付けられている。なお、複数の電子回路部品１４を集めたグループに螺合部材６５を介して１つの放熱シート６７を当接させた場合は、放熱シート６７の弾性変形により、電子回路部品１４間の高さの違いを吸収することができる。
【００３８】
そこで、上記構成の本実施形態の間接空冷方式の電子機器筐体用基板ユニットの放熱構造にあっては、複数の電子回路部品１４の個々の製品ごとの品質のばらつきや、放熱カバー６２などの各部品の製造ばらつき、組立ばらつきなどに左右されること無く、確実にプリント基板１５上の複数の電子回路部品１４に放熱シート６７を同一の組み付け状態で組み付けることができる。したがって、本構造にすることで完全間接空冷構造に使用する基板ユニット上の電子回路部品１４の放熱において、放熱性能を高く維持できるため、より発熱量の高い部品を使用することが可能となる。また、放熱カバー６２や、螺合部材６５を熱伝導性能の高いアルミ合金によって形成することにより、熱伝導性能の高いアルミ合金製のヒートパスが大部分を占め、電子機器筐体１全体の軽量化を図ることができる。さらに、放熱シート６７は薄いもので対応することができるので、放熱性能の低下を最小限にすることができる。
【００３９】
また、あらかじめ螺合部材６５の先端に組み付けを想定する放熱シート６７の厚みのダミーの押し当て部材６６を仮組み状態で組み付けておき、上記方法で放熱シート６７を組み付けることにより、ボード２のプリント基板１５上のすべての電子回路部品１４の放熱箇所に同一のクリアランスを確保できる。そのため、準備する放熱シート６７を１種類だけの単一材料にすることも可能となる。
【００４０】
したがって、部品組み付け作業時の作業効率を高めることができ、かつ伝熱性能を高めることができるという効果を奏する。
【００４１】
［第２の実施形態］  
図７は、第２の実施形態を示す。本実施形態は、第１の実施形態（図１乃至図６参照）のねじ型ヒートパス構造体６３の変形例である。本実施形態のねじ型ヒートパス構造体６３は、放熱カバー６２のねじ穴部６４からカバー本体６２ａの外側に突出する螺合部材６５の外側突出部にナット７１を螺合させるダブルナット構造の締結部を設けたものである。本実施形態のダブルナット構造の締結部であっても第１の実施形態のシリコン系の接着剤で固定する接着固定部６９と同様に、放熱シート６７の設置作業時に螺合部材６５のねじ込み位置を緩まないように固定することができる。
【００４２】
なお、本実施形態では、螺合部材６５とねじ穴部６４との螺合部分を１条ねじにした構成例を示したが、螺合部材６５とねじ穴部６４との螺合部分を２条ねじ、あるいは３条ねじ以上の多条ねじ構造にしてもよい。この場合は、螺合部材６５とねじ穴部６４との螺合部分の接触面積を増やすことができるので、ねじ型ヒートパス構造体６３の伝熱性能を一層、高めることができる。
【００４３】
これらの実施形態によれば、部品組み付け作業時の作業効率を高めることができ、かつ伝熱性能を高めることができる電子機器筐体用基板ユニットの放熱構造とその放熱構造における放熱シートの組み付け方法を提供することができる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１…電子機器筐体、１ａ…筐体本体、２…ボード、３…ボード収容室、３ａ…上面開口部、４…シャシー、５…ベースフレーム、６…端板、７…端板、８…側面板、９…側面板、１０…上面パネル、１１…マザーボード、１２…コネクタ受け部、１３…マザーボード支持脚、１４…電子回路部品、１５…プリント基板、１６…コネクタ部、１７…カードロック、２４…通風路、２５…通風路、２６…側壁部材、２６ａ…ガイド溝、２７…吸い込み口、２８…閉塞板、２９…側壁部材、２９ａ…ガイド溝、３１…開口部、３１ａ…空気室、３２…ブロワ、３３…ストレートフィン、６１…はんだボール、６２…放熱カバー、６２ａ…カバー本体、６２ｂ…屈曲部、６３…ねじ型ヒートパス構造体、６４…ねじ穴部、６５…螺合部材、６５ａ…係合溝、６５ｂ…取付け面、６６…押し当て部材、６７…放熱シート、６８…マーキング部分、６８ａ…マーク、６８ｂ…マーク、６８ｃ…マーク、６９…接着固定部、７１…ナット。
【図１】
2018046176.tif 000003
【図２】
2018046176.tif 000004
【図３】
2018046176.tif 000005
【図４】
2018046176.tif 000006
【図５】
2018046176.tif 000007
【図６】
2018046176.tif 000008
【図７】
2018046176.tif 000009